(57)【要約】【課題】遠隔から装置が記憶しているデータの内容を確認できる出力装置を提供することを目的とする。【解決手段】本発明にかかる出力装置は、外部機器からデータの入力、及び呼び出しを受け付ける入力部と、入力部が入力を受け付けたデータを記憶する記憶部と、記憶部に記憶されているデータを出力する出力部と、を備え、記憶部は、入力部が入力を受け付けたデータをユーザＩＤと関連付けて記憶し、出力部は、入力部がユーザＩＤと特定の関係を有するユーザＩＤから呼び出しを受け付けた場合に、ユーザＩＤと関連付けて記憶されているデータを出力する、一方、入力部が特定の関係を有さないユーザＩＤから呼び出しを受け付けた場合に、ユーザＩＤと関連付けて記憶されているデータを出力しない。【選択図】図１
2015084459.tif 000002
【特許請求の範囲】
【請求項１】
外部機器からデータの入力、及び呼び出しを受け付ける入力部と、
前記入力部が入力を受け付けたデータを記憶する記憶部と、
前記記憶部に記憶されているデータを出力する出力部と、を備え、
前記記憶部は、前記入力部が入力を受け付けたデータをユーザＩＤと関連付けて記憶し、
前記出力部は、前記入力部が前記ユーザＩＤと特定の関係を有するユーザＩＤから呼び出しを受け付けた場合に、前記ユーザＩＤと関連付けて記憶されているデータを出力する、一方、前記入力部が前記特定の関係を有さないユーザＩＤから呼び出しを受け付けた場合に、前記ユーザＩＤと関連付けて記憶されているデータを出力しない、
出力装置。
【請求項２】
前記記憶部は、前記ユーザＩＤと第２のユーザＩＤとを関連付けて記憶し、
前記特定の関係を有するユーザＩＤとは、前記記憶部において前記ユーザＩＤと関連付けて記憶されている第２のユーザＩＤである、
請求項１に記載の出力装置。
【請求項３】
前記特定の関係を有するユーザＩＤとは、前記ユーザＩＤと同一のユーザＩＤである、
請求項１に記載の出力装置。
【発明の詳細な説明】
【技術分野】
【０００１】
本発明は出力装置に関し、特に、外部からの呼び出しに応じてデータを出力する出力装置に関する。
【背景技術】
【０００２】
特許文献１は、電話通信制御装置を開示する。この電話通信制御装置は、遠隔操作機能を有する。予め設定されている電話画像と、着呼時に獲得した発呼元の電話番号とを比較して、番号が同一であれば遠隔操作を許可する一方、番号が異なる場合には遠隔操作を禁止する。
【０００３】
これにより、この電話通信制御装置は、特定の電話から遠隔操作を受け付けることができる。
【先行技術文献】
【特許文献】
【０００４】
【特許文献１】特開２００３−９２６４０号公報
【発明の概要】
【発明が解決しようとする課題】
【０００５】
しかしながら、上記特許文献１に開示されている電話通信制御装置によっては、遠隔から電話通信制御装置に記憶されているデータの内容を確認することができない。
【０００６】
本発明は、遠隔から装置が記憶しているデータの内容を確認できる出力装置を提供することを目的とする。
【課題を解決するための手段】
【０００７】
上記課題を解決するために、本発明にかかる出力装置は、外部機器からデータの入力、及び呼び出しを受け付ける入力部と、入力部が入力を受け付けたデータを記憶する記憶部と、記憶部に記憶されているデータを出力する出力部と、を備え、記憶部は、入力部が入力を受け付けたデータをユーザＩＤと関連付けて記憶し、出力部は、入力部がユーザＩＤと特定の関係を有するユーザＩＤから呼び出しを受け付けた場合に、ユーザＩＤと関連付けて記憶されているデータを出力する、一方、入力部が特定の関係を有さないユーザＩＤから呼び出しを受け付けた場合に、ユーザＩＤと関連付けて記憶されているデータを出力しない。
【発明の効果】
【０００８】
本発明によれば、遠隔から装置が記憶しているデータの内容を確認できる出力装置を提供できる。
【図面の簡単な説明】
【０００９】
【図１】通信システムの概要を説明するための図
【図２】端末１０００の構成を示すブロック図
【図３】会話内容記録動作の一例を示すフローチャート
【図４】会話データの管理状態を表す模式
【図５】ユーザＩＤの紐付け設定を表す模式図
【図６】記録済み会話データの送信動作の一例を示すフローチャート
【図７】記録済み会話データの送信動作のもう一つの例を示すフローチャート
【発明を実施するための形態】
【００１０】
１．実施の形態１
本発明を通信装置に適用した実施の形態１について図面を参照しつつ説明する。
【００１１】
［１−１］通信システムの概要
図１は本発明の一実施の形態に係る通信システムの概要を説明するための図であり、図２は図１の端末１０００の構成を示すブロック図である。
【００１２】
図１に示すように、この通信システムにおいては、端末１０００、基地局８００、パーソナルコンピュータ６００、テレビジョン受像機（以下、テレビと略記する。）７００および会話用サーバ２０００がネットワーク５００に接続される。また、携帯電話９００が基地局８００を介してネットワーク５００に接続される。このように、ネットワーク５００には、複数の通信端末として、端末１０００、パーソナルコンピュータ６００、テレビ７００および携帯電話９００が接続される。本実施の形態において、ネットワーク５００はインターネットである。
【００１３】
図１の例において、互いに接続された複数の通信端末（端末１０００、パーソナルコンピュータ６００、テレビ７００および携帯電話９００）には、それぞれ後述する制御ＬＳＩ（大規模集積回路）１０１（図２）が内蔵される。制御ＬＳＩ１０１（図２）には、記録媒体である内蔵のメモリ１０１Ｍ（図２）に通信プログラムとして後述する会話プログラムが記憶される。
【００１４】
また、各通信端末は、映像入力部、音声入力部、映像出力部および音声出力部を有する。映像入力部は例えばカメラを含む。音声入力部は例えばマイクを含む。映像出力部は例えばモニタを含む。音声出力部は例えばスピーカを含む。
【００１５】
本実施の形態において、複数の通信端末の使用者は、予めそれぞれ固有のユーザ情報を会話用サーバ２０００に登録する必要がある。ユーザ情報は、ユーザ識別子（以下、ユーザＩＤと呼ぶ。）およびそのユーザＩＤに対応付けられたパスワードを含む。会話用サーバ２０００は、複数の使用者の複数のユーザ情報を記憶することにより、複数の使用者を管理する。
【００１６】
新たなユーザ情報が登録される場合には、任意の通信端末から会話用サーバ２０００に、ユーザ情報の登録要求とともに新たなユーザ情報が送信される。
【００１７】
会話用サーバ２０００は、予め記憶されている複数のユーザ情報を参照しつつ、受信したユーザ情報のユーザＩＤが既に登録されている複数のユーザ情報のユーザＩＤのいずれかに一致するか否かを判定する。
【００１８】
会話用サーバ２０００は、受信したユーザ情報のユーザＩＤが既に登録されている複数のユーザ情報のユーザＩＤのいずれにも一致しない場合、与えられたユーザ情報を記憶する。一方、会話用サーバ２０００は、受信したユーザ情報のユーザＩＤが既に登録されている複数のユーザ情報のユーザＩＤのいずれかに一致する場合、受信したユーザ情報を記憶しない。これにより、同一のユーザＩＤを含む複数のユーザ情報が会話用サーバ２０００に登録されることが防止される。
【００１９】
会話用サーバ２０００に、例えば一の通信端末からユーザ情報とともにサインインの要求が送信される。この場合、会話用サーバ２０００は、受信したユーザ情報が記憶されている複数のユーザ情報のいずれかに一致するか否かを判定する。すなわち、会話用サーバ２０００は、一の通信端末から受信したユーザ情報が既に登録されているか否かを判定する。
【００２０】
会話用サーバ２０００は、受信したユーザ情報が既に登録されている場合、使用者のサインインを許可する。一方、会話用サーバ２０００は、一の通信端末から受信したユーザ情報が登録されていない場合、使用者のサインインを許可しない。
【００２１】
使用者が会話用サーバ２０００にサインインすることにより、使用者が使用する通信端末から会話用サーバ２０００に、通信端末のアドレス（例えば、インターネットプロトコルアドレス）が送信される。また、通信端末から会話用サーバ２０００に、所定の周期でサインインの継続要求が送信される。
【００２２】
これにより、会話用サーバ２０００においては、現在サインインしている使用者、およびサインインしている使用者が使用する通信端末のアドレスが管理される。
【００２３】
使用者は、一の通信端末を用いて会話用サーバ２０００にサインインすることにより、会話用サーバ２０００に他の使用者との会話を要求する要求信号をその使用者のユーザＩＤとともに送信することができる。この場合、会話用サーバ２０００は、受信したユーザＩＤに基づいて他の使用者がサインインしているか否かを判定する。
【００２４】
他の使用者がサインインしている場合、会話用サーバ２０００は、他の使用者が使用する通信端末のアドレスを一の通信端末に送信する。これにより、一の通信端末が、受信したアドレスにより他の通信端末にアクセスする。このようにして、一の通信端末と他の通信端末との間で、映像データおよび音声データを含む種々のデータの通信が可能となる。
【００２５】
一方、他の使用者がサインインしていない場合、会話用サーバ２０００は、他の使用者がサインインしていないことを示す情報を一の通信端末に送信する。この場合、一の通信端末においては、他の使用者と会話することができないことを示す情報がモニタまたはスピーカにより使用者に提示される。
【００２６】
上記に加えて、使用者は、一の通信端末を用いて会話用サーバ２０００にサインインすることにより、他の通信端末からのアクセスを受け付けることができる。
【００２７】
複数の通信端末間では、カメラにより撮影された各使用者の映像に基づく映像データ、およびマイクに入力された各使用者の音声に基づく音声データの通信が行われる。これにより、各通信端末の使用者は、他の通信端末の使用者と会話することができる。
【００２８】
次に、端末１０００の構成について説明する。図１および図２に示すように、端末１０００は、通信装置１００、カメラ／マイク装置２００、テレビ３００および２つのリモートコントローラ４００，４９０を備える。
【００２９】
図２に示すように、通信装置１００は、制御ＬＳＩ１０１、ネットワークインターフェース１０３、無線受信部１０４、ユニバーサルシリアルバス（以下、ＵＳＢと呼ぶ。）インターフェース１０５、電力供給部１０６、高解像度マルチメディアインターフェース（以下、ＨＤＭＩと呼ぶ。）１０７、光ディスクドライブ１０８、メモリスロット１０９、蛍光表示管（以下、ＦＬディスプレイと呼ぶ。）１９１、発光ダイオードユニット（以下、ＬＥＤユニットと呼ぶ。）１９２、ブザー１９３およびフラッシュメモリ１１２を備える。メモリスロット１０９には、メモリカード１１０が挿入される。本実施の形態では、通信装置１００のネットワークインターフェース１０３は、ネットワークケーブル（例えば、ローカルエリアネットワークケーブル）を介してネットワーク５００に接続される。
【００３０】
制御ＬＳＩ１０１は、ＣＰＵ（中央演算処理装置）およびメモリ１０１Ｍを含み、半導体を用いた集積回路で実現される。上述のように、制御ＬＳＩ１０１のメモリ１０１Ｍには、通信装置１００のシステムプログラムとともに後述する会話プログラムが記憶される。ＣＰＵがメモリに記憶された各プログラムを実行することにより、制御ＬＳＩ１０１が種々の処理を実行する。また、制御ＬＳＩ１０１は、通信装置１００の各構成要素の動作を制御するとともに、他の通信端末（図１のパーソナルコンピュータ６００、テレビ７００および携帯電話９００等）との通信を制御する。制御ＬＳＩ１０１の詳細な構成は後述する。
【００３１】
ネットワークインターフェース１０３は、ネットワークケーブルを介してネットワーク５００に接続される。ネットワークインターフェース１０３により、ネットワーク５００から通信装置１００の制御ＬＳＩ１０１に、映像データおよび音声データを含む種々のデータが与えられる。また、通信装置１００の制御ＬＳＩ１０１からネットワーク５００に映像データおよび音声データを含む種々のデータが与えられる。
【００３２】
後述するように、リモートコントローラ４００は、無線通信（例えば赤外線通信）により後述する操作信号を通信装置１００に送信する。無線受信部１０４は、リモートコントローラ４００から無線で送信される操作信号を受信する。無線受信部１０４により受信された操作信号は、制御ＬＳＩ１０１に与えられる。
【００３３】
ＵＳＢインターフェース１０５は、ＵＳＢケーブルを介してカメラ／マイク装置２００に接続される。電力供給部１０６は、例えば、交流電力を直流電力に変換する電源回路を含む。電源回路には電源プラグが接続される。電源プラグは、家庭用電源コンセントに接続可能である。電力供給部１０６は、家庭用電源から得られた電力を通信装置１００の各構成要素に供給する。ＨＤＭＩ１０７は、ＨＤＭＩケーブルを介してテレビ３００に接続される。光ディスクドライブ１０８は、光ディスクに対してデータの読み書きを行う。
【００３４】
メモリスロット１０９は、メモリカード１１０が挿入および取り出し可能に構成される。制御ＬＳＩ１０１は、メモリスロット１０９にメモリカード１１０が挿入された状態で、メモリカード１１０に記憶されたデータを読み出すことができる。また、制御ＬＳＩ１０１は、メモリカード１１０にデータを書き込むことができる。
【００３５】
フラッシュメモリ１１２は、制御ＬＳＩ１０１に接続される。フラッシュメモリ１１２に代えて、他の不揮発性メモリを用いてもよい。フラッシュメモリ１１２には、例えば端末１０００を使用する使用者のユーザ情報および他の使用者のユーザＩＤのリスト（以下、コンタクトリストと呼ぶ。）が記憶される。また、フラッシュメモリ１１２には、使用者が他の通信端末からのアクセスを受け付けることができない場合に、他の通信端末からのアクセスに応答して他の通信端末に与えられるべきデータ（例えば、留守であることを伝えるための映像データおよび音声データ）が記憶される。
【００３６】
通信装置１００は、例えば箱型のケーシングを有する。制御ＬＳＩ１０１、ネットワークインターフェース１０３、無線受信部１０４、ＵＳＢインターフェース１０５、電力供給部１０６、ＨＤＭＩ１０７、光ディスクドライブ１０８およびメモリスロット１０９はケーシング内に収容される。ＦＬディスプレイ１９１、ＬＥＤユニット１９２およびブザー１９３は、ケーシングに取り付けられる。
【００３７】
ＦＬディスプレイ１９１は、例えば７セグメント蛍光表示管または１４セグメント蛍光表示管等からなる。制御ＬＳＩ１０１からＦＬディスプレイ１９１に現在の時刻および光ディスクの再生時間等を示す情報が与えられる。ＦＬディスプレイ１９１は、与えられた情報を表示する。
【００３８】
ＬＥＤユニット１９２は単色の光を発生する。制御ＬＳＩ１０１からＬＥＤユニット１９２に発光または非発光を示す情報が与えられる。ＬＥＤユニット１９２は、制御ＬＳＩ１０１から与えられる情報に基づいて点灯、消灯または点滅する。
【００３９】
制御ＬＳＩ１０１からブザー１９３に警報の発生を指令するための情報が与えられる。この場合、ブザー１９３は、制御ＬＳＩ１０１から与えられる情報に基づいて警報音を発生する。
【００４０】
リモートコントローラ４００は、操作部４０１、処理回路４０２および無線送信部４０３を備える。操作部４０１は、図１の電源ボタン４１１、会話起動ボタン４１２、会話応答ボタン４１３、十字キー４１４、決定ボタン４１５および図示しない複数の数字ボタンを含む。十字キー４１４は、上ボタン、下ボタン、左ボタンおよび右ボタンを含む。使用者により、操作部４０１のいずれかのボタンが操作される。処理回路４０２により操作されたボタンに応じた操作信号が生成される。生成された操作信号は、無線送信部４０３から通信装置１００の無線受信部１０４に送信される。上記のように、通信装置１００とリモートコントローラ４００との間の無線通信は、例えば赤外線通信により実現される。
【００４１】
カメラ／マイク装置２００は、カメラ２０１、マイク２０２および２つのアナログデジタル（以下、Ａ／Ｄと呼ぶ。）コンバータ２０３，２０４およびＵＳＢインターフェース２０５を備える。カメラ／マイク装置２００のＵＳＢインターフェース２０５は、ＵＳＢケーブルを介して通信装置１００のＵＳＢインターフェース１０５に接続される。
【００４２】
カメラ２０１は、撮像素子を備える。撮像素子により被写体の映像が取得される。カメラ２０１においては、取得された映像に基づいてアナログ形式の映像信号が生成される。生成された映像信号が、Ａ／Ｄコンバータ２０３によりデジタル形式の映像データに変換される。デジタル形式の映像データが、ＵＳＢインターフェース２０５、ＵＳＢケーブルおよびＵＳＢインターフェース１０５を介して、通信装置１００の制御ＬＳＩ１０１に与えられる。
【００４３】
マイク２０２には外部から音声（音波）が入力される。マイク２０２においては、入力された音声に基づいてアナログ形式の音声信号が生成される。生成された音声信号が、Ａ／Ｄコンバータ２０４によりデジタル形式の音声データに変換される。デジタル形式の音声データが、ＵＳＢインターフェース２０５、ＵＳＢケーブルおよびＵＳＢインターフェース１０５を介して、通信装置１００の制御ＬＳＩ１０１に与えられる。
【００４４】
本実施の形態では、カメラ／マイク装置２００は、例えば使用者の映像および使用者の音声を取得するために用いられる。
【００４５】
上記のように、カメラ／マイク装置２００は、カメラ２０１およびマイク２０２を含む。通信装置１００にカメラ／マイク装置２００が接続される代わりに、通信装置１００にカメラ２０１およびマイク２０２がそれぞれ個別に接続されてもよい。
【００４６】
テレビ３００は、モニタ３０１、スピーカ３０２、デジタルアナログ（以下、Ｄ／Ａと呼ぶ。）コンバータ３０３，３０４、ＨＤＭＩ３０５、無線受信部３０６、音量調整部３１０およびチューナ３２０を備える。本実施の形態では、テレビ３００のＨＤＭＩ３０５が、ＨＤＭＩケーブルを介して通信装置１００のＨＤＭＩ１０７に接続される。
【００４７】
通信装置１００の制御ＬＳＩ１０１からテレビ３００に、ＨＤＭＩ１０７、ＨＤＭＩケーブルおよびＨＤＭＩ３０５を介してデジタル形式の映像データおよび音声データが与えられる。テレビ３００に与えられた映像データは、Ｄ／Ａコンバータ３０３によりアナログ形式の映像信号に変換される。アナログ形式の映像信号がモニタ３０１に与えられる。これにより、モニタ３０１に映像が表示される。
【００４８】
一方、テレビ３００に与えられた音声データは、Ｄ／Ａコンバータ３０４によりアナログ形式の音声信号に変換される。アナログ形式の音声信号が音量調整部３１０に与えられる。
【００４９】
音量調整部３１０には、後述するリモートコントローラ４９０から、例えば音声信号のレベルを調整するための操作信号が入力される。これにより、音量調整部３１０においては、リモートコントローラ４９０から与えられる操作信号に基づいて音声信号のレベルが調整される。調整された音声信号がスピーカ３０２に与えられ、音声信号に基づく音声が出力される。
【００５０】
チューナ３２０は、放送または配信される番組の放送信号の受信、選局、復調および復号化を行うことにより映像データおよび音声データを生成し、生成した映像データおよび音声データをそれぞれＤ／Ａコンバータ３０３およびＤ／Ａコンバータ３０４に与える。それにより、モニタ３０１に番組の映像が表示され、スピーカ３０２から番組の音声が出力される。
【００５１】
上記のように、通信装置１００とテレビ３００とがＨＤＭＩ１０７、ＨＤＭＩケーブルおよびＨＤＭＩ３０５を介して接続される。この場合、通信装置１００は、テレビ３００の動作を制御するための制御信号をテレビ３００に与えることができる。
【００５２】
通信装置１００にテレビ３００が接続される代わりに、通信装置１００にモニタ３０１およびスピーカ３０２がそれぞれ個別に接続されてもよい。
【００５３】
リモートコントローラ４９０は、操作部４９１、処理回路４９２および無線送信部４９３を備える。操作部４９１は、図１の電源ボタン４８１および音量調整ボタン４８４ａ，４８４ｂを含む。使用者により、操作部４９１のいずれかのボタンが操作される。処理回路４９２により操作されたボタンに応じた操作信号が生成される。
【００５４】
電源ボタン４８１が操作されることにより、テレビ３００の電源をオンするための操作信号が生成される。音量調整ボタン４８４ａが操作されることにより、音声信号のレベルを高くするための操作信号が生成される。音量調整ボタン４８４ｂが操作されることにより、音声信号のレベルを低くするための操作信号が生成される。
【００５５】
生成された操作信号は、無線送信部４９３からテレビ３００の無線受信部３０６に無線で送信される。テレビ３００とリモートコントローラ４９０との間の無線通信は、例えば赤外線通信により実現される。
【００５６】
上記の端末１０００においては、例えばカメラ／マイク装置２００から通信装置１００に映像データおよび音声データが与えられる。通信装置１００においては、与えられた映像データが符号化される。また、与えられた音声データが符号化される。後述する端末１０００の会話動作時において、通信装置１００は、符号化された映像データおよび音声データをネットワーク５００に接続された他の通信端末（パーソナルコンピュータ６００、テレビ７００および携帯電話９００）に送信する。
【００５７】
また、端末１０００においては、使用者が図１の会話用サーバ２０００にサインインすることにより、ネットワーク５００に接続された他の通信端末から送信される映像データおよび音声データが通信装置１００により受信される。通信装置１００においては、受信された映像データおよび音声データが復号化される。後述する端末１０００の会話動作時において、通信装置１００は、復号化された映像データおよび音声データをテレビ３００に与える。テレビ３００では、デジタル形式の映像データがアナログ形式の映像信号に変換され、変換された映像信号に基づく映像がモニタ３０１に表示される。また、デジタル形式の音声データがアナログ形式の音声信号に変換され、変換された音声信号に基づく音声がスピーカ３０２から出力される。
【００５８】
これにより、上記のように、端末１０００と他の通信端末間で映像データおよび音声データの通信が行われる。ネットワーク５００に接続される複数の通信端末の各々は、端末１０００と同様に、カメラ、マイク、モニタおよびスピーカを有する。したがって、端末１０００を使用する使用者は、他の通信端末を使用する使用者と会話することができる。
【００５９】
端末１０００の通信装置１００においては、例えば光ディスクドライブ１０８により光ディスクから読み出された映像データおよび音声データがテレビ３００に与えられる。テレビ３００では、デジタル形式の映像データがアナログ形式の映像信号に変換され、変換された映像信号に基づく映像がモニタ３０１に表示される。また、デジタル形式の音声データがアナログ形式の音声信号に変換され、変換された音声信号に基づく音声がスピーカ３０２から出力される。
【００６０】
さらに、端末１０００の通信装置１００においては、例えばネットワーク５００から受信された映像データおよび音声データがメモリカード１１０に書き込まれる。
【００６１】
［１−２］会話内容記録動作
図３は、本発明の一実施の形態に係る会話プログラムに基づく制御ＬＳＩ１０１の会話内容記録動作の一例を示すフローチャートである。
【００６２】
以下の説明において、使用者は端末１０００を用いて会話用サーバ２０００にサインイン済みとする。そのユーザＩＤを例えば「ＡＢＣ」とする。
【００６３】
他の通信端末（例えば図１の携帯電話９００）を使っている他の使用者が端末１０００にサインインしている使用者（ＡＢＣ）に会話要求した場合の端末１０００の動作を、図３を用いて説明する。
【００６４】
図２の制御ＬＳＩ１０１は、他の通信端末から会話要求を受け付ける。この場合、制御ＬＳＩ１０１はコール処理を実施する（ステップＳ１１０）。コール処理では、制御ＬＳＩ１０１は、図２のブザー１９３により着信音を発生するとともに、ＬＥＤユニット１９２を点灯させるかまたは点滅させ、ＦＬディスプレイ１９１に他の使用者を特定する情報（例えば名称またはユーザＩＤ）を表示する。それにより、他の通信端末から着信を受けたことが使用者に報知される。
【００６５】
次に、制御ＬＳＩ１０１は、コール処理を開始してから一定時間（例えば３０秒）以内に使用者が会話応答を指示したか否かを判定する（ステップＳ１２０）。使用者が端末１０００を使用中または近辺にいて応答可能な場合はリモートコントローラ４００の会話応答ボタン４１３を操作することにより会話応答を指示することができる。その場合、制御ＬＳＩ１０１はコール処理を停止し、会話動作を開始する（ステップＳ１３０）。
【００６６】
使用者が端末１０００を操作可能な状態でなく、会話応答の指示がないまま一定時間が経過すると、制御ＬＳＩ１０１はコール処理を停止し会話内容記録動作を開始する。
【００６７】
制御ＬＳＩ１０１は、まずフラッシュメモリ１１２にあらかじめ記録されている映像データおよび音声データ、または音声データを、ネットワークインタフェース１０３およびネットワーク５００を介して他の通信端末に送信する（ステップＳ１５０）。これは他の使用者に対して会話記録を開始する旨を伝える自動応答メッセージとなる。
【００６８】
自動応答メッセージの送信が完了後、制御ＬＳＩ１０１は、他の通信端末からネットワーク５００およびネットワークインタフェース１０３を介して受信する映像データおよび音声データまたは音声データ（以下では会話データと呼ぶ。）をフラッシュメモリ１１２に記録する（ステップＳ１６０）。
【００６９】
図４は、制御ＬＳＩ１０１がフラッシュメモリ１１２に記録する会話データの管理状態を表す模式図である。図４に示すように、会話データは、記録時に端末１０００にサインインしていた使用者のユーザＩＤごとに分けて記録される。本実施例では端末１０００にはユーザＩＤ「ＡＢＣ」としてサインインしていたので、ユーザＩＤ「ＡＢＣ」の会話データとして記録される。次に、同じユーザＩＤで複数回会話記録動作を行った場合には、会話要求があった会話ごとに分けて記録される（図４では通話内容１、通話内容２として表記）。そして会話ごとに、会話データ（映像データおよび音声データ、または音声データ）および管理情報が記録される。管理情報には、例えば会話要求を行った他の使用者のユーザＩＤ、会話要求時刻などが記録される。この管理方法の一つの実現方法は、フラッシュメモリ１１２にファイルシステムを構築し、ユーザＩＤごとにフォルダを作成し、会話記録ごとにそのサブフォルダを作成することである。この場合映像データ、音声データおよび管理情報は別のファイルとして記録してもよいし、一ファイルの中にこれらを含むように記録することも可能である。
【００７０】
制御ＬＳＩ１０１は会話内容の記録開始後、一定時間（例えば1分）が経過したかどうかを監視する（ステップＳ１７０）。一定時間が経過したら、会話記録動作を停止し、ネットワークインタフェース１０３およびネットワーク５００を介して他の使用者との会話を切断する（ステップＳ１８０）。
【００７１】
［１−３］リモート確認用ユーザＩＤの設定
本実施の形態に係る会話プログラムにおいては、使用者の操作に応じて、制御ＬＳＩ１０１が、図示しない設定画面をテレビ３００のモニタ３０１に表示し、端末１０００にサインイン中のユーザＩＤと、別のユーザＩＤ（以下リモート確認用ユーザＩＤ）の紐付け設定を使用者に行わせることが可能である。制御ＬＳＩ１０１は、この設定結果をフラッシュメモリ１１２に記録する。
【００７２】
図５はフラッシュメモリ１１２に記録されるユーザＩＤの紐付け設定を表す模式図と設定例である。この例では、サインイン中ユーザＩＤとして「ＡＢＣ」「ＤＥＦ」「ＧＨＩ」の３ユーザＩＤに対してそれぞれリモート確認用ユーザＩＤ「ＡＢＣ２」「ＤＥＦ２」「ＧＨＩ２」が紐付けされている。
【００７３】
［１−４］記録済み会話データの送信動作（１）
図６は、本実施の形態に係る会話プログラムに基づく制御ＬＳＩ１０１の記録済み会話データの送信動作の一例を示すフローチャートである。以下、図６を用いて本実施の形態における記録済み会話データを他の通信端末へ送信する動作について説明する。なお、図３と同じ処理については同じステップ番号を付し詳細な説明は省略する。
【００７４】
ここで、使用者は端末１０００にユーザＩＤ「ＡＢＣ」でサインインしているものとする。また、同じ使用者が他の通信端末（例えば携帯電話９００）に別のユーザＩＤ「ＡＢＣ２」でサインインしているものとする。また、端末１０００のフラッシュメモリ１１２には、図５に示すユーザＩＤ紐付け設定が記録されているものとする。
【００７５】
使用者が他の通信端末を用いてユーザＩＤ「ＡＢＣ」に対して会話を要求すると、端末１０００は会話要求を受け付け（ステップＳ１００）、コール処理を行う（ステップＳ１１０）。使用者が端末１０００に対しリモートコントローラ４００を用いて会話応答を指示しないまま一定時間が経過すると、コール処理を停止し、制御ＬＳＩ１０１は端末１０００にサインイン中のユーザＩＤ、会話要求を行ったユーザＩＤ、およびフラッシュメモリ１１２に記録されたユーザＩＤの紐付け設定を参照して記録済み会話データの送信可否を判定する（ステップＳ１４０）。会話要求を行ったユーザＩＤが、端末１０００にサインイン中のユーザＩＤに紐付けされたリモート確認用ユーザＩＤと一致しない場合は、ステップＳ１５０以降の、上述の会話内容記録動作を行う。
【００７６】
会話要求を行ったユーザＩＤが「ＡＢＣ２」であり端末１０００にサインイン中のユーザＩＤが「ＡＢＣ」の場合は、「ＡＢＣ２」は「ＡＢＣ」に対して紐付けされたリモート確認用ユーザＩＤと一致するので、会話データ送信処理を開始する（ステップＳ２００）。
制御ＬＳＩ１０１はフラッシュメモリ１１２に記録されている、ユーザＩＤ「ＡＢＣ」の会話データを参照し、その映像データおよび音声データ、または音声データをネットワークインタフェース１０３およびネットワーク５００を介して他の通信端末へ送信する。この動作をフラッシュメモリ１１２に記録されている全ての会話データについて繰り返す（ステップＳ２１０）。全ての会話データの送信処理が完了したら、他の通信端末との会話を切断する（ステップＳ２２０）。
【００７７】
この動作により、使用者が端末１０００の近くにいない場合でも、あらかじめ端末１０００にサインイン中のユーザＩＤに紐付けておいたリモート確認用ユーザＩＤを使って他の通信端末から会話要求を行うことで、端末１０００のフラッシュメモリ１１２に記録された会話データを視聴することが可能になり、利便性が向上する。
【００７８】
なお、本実施の形態において端末１０００は、ユーザＩＤとリモート確認用ユーザＩＤとを対応付けて記憶し、リモート確認用ユーザＩＤから呼び出しを受け付けた場合に、リモート確認用ユーザＩＤと対応付けられているユーザＩＤに関連付けて記憶されている通話内容を他の通信端末へ送信する。しかしながら、必ずしもこのような構成である必要はない。例えば、端末１０００において記憶されているデータと関連付けられているユーザＩＤと同一のユーザＩＤに他の通信端末が呼び出しを行った場合に、ユーザＩＤに関連付けて記憶しているデータを送信するような構成であってもよい。要するに、ユーザＩＤと特定の関係を有するユーザＩＤから呼び出しを受け付けた場合に、ユーザＩＤと関連付けて記憶されているデータを出力する、一方、特定の関係を有さないユーザＩＤから呼び出しを受け付けた場合に、ユーザＩＤと関連付けて記憶されているデータを出力しない構成であればよい。
２．実施の形態２
［２−１］記録済み会話データの送信動作（２）
図７は、本実施の形態に係る会話プログラムに基づく制御ＬＳＩ１０１の記録済み会話データの送信動作のもう一つの例を示すフローチャートである。以下、図７を用いて本実施形態における記録済み会話データを他の通信端末へ送信する動作について説明する。なお、図３、図６と同じ処理については同じステップ番号を付し詳細な説明は省略する。
【００７９】
ここでも、使用者は端末１０００にユーザＩＤ「ＡＢＣ」でサインインしているものとする。また、同じ使用者が他の通信端末（例えば携帯電話９００）に別のユーザＩＤ「ＡＢＣ２」でサインインしているものとする。また、端末１０００のフラッシュメモリ１１２には、図５に示すユーザＩＤ紐付け設定が記録されているものとする。
【００８０】
また、会話データごとに記録される管理情報には、その会話データを送信したかどうかを示す「送信済み情報」を含む。送信済み情報は、「未送信」または「送信済み」のいずれかを表し、会話記録直後は「未送信」となっている。
【００８１】
制御ＬＳＩ１０１が、ステップＳ１４０において会話要求を行ったユーザＩＤが端末１０００にサインイン中のユーザＩＤに対して紐付けされたリモート確認用ユーザＩＤと一致すると判定した場合、未送信会話データ送信処理を開始する（ステップＳ３００）。制御ＬＳＩ１０１はフラッシュメモリ１１２に記録されている、ユーザＩＤ「ＡＢＣ」の会話データであって、その管理情報の「送信済み情報」が「未送信」となっているものについて、その映像データおよび音声データ、または音声データをネットワークインタフェース１０３およびネットワーク５００を介して他の通信端末へ送信する。そして、当該会話データの管理情報の「送信済み情報」を「送信済み」に変更する。この動作を全通話内容の送信済み情報が送信済みになるまで繰り返す（ステップＳ３１０）。全ての未送信会話データの送信処理が完了したら、他の通信端末との会話を切断する（ステップＳ３２０）。
【００８２】
この動作により、使用者は、他の通信端末を用いて既に視聴した会話データについて再度視聴せず、未視聴の会話データのみ視聴することが可能になり、利便性が向上する。
【産業上の利用可能性】
【００８３】
本発明は、外部からの呼び出しに応じてデータの出力が可能なレコーダやテレビ等の出力装置に適用できる。
【符号の説明】
【００８４】
１０００    端末
１００    通信装置
２０００    会話用サーバ
８００    基地局
９００    携帯電話
６００    ＰＣ
７００    ＴＶ
【図１】
2015084459.tif 000003
【図２】
2015084459.tif 000004
【図３】
2015084459.tif 000005
【図４】
2015084459.tif 000006
【図５】
2015084459.tif 000007
【図６】
2015084459.tif 000008
【図７】
2015084459.tif 000009